(57)【要約】【課題】ファイルをアクセスするユーザに影響を与えることなく、既存サーバにおけるデータ量の増加を効率よく抑制する装置、方法及びシステムを提供すること。【解決手段】画像ファイル移行装置１０は、画像管理ＤＢ３０に記憶されたユーザごとの画像ファイルのデータ量を取得し、取得した当該データ量に基づいて所定の期間内の増加量を測定し、所定の条件により第１サーバ４１から第２サーバ４２に画像ファイルを移行するか否かを判定する。そして、画像ファイル移行装置１０は、移行すると判定した場合に、測定したユーザごとの増加量に基づいて、画像ファイルを移行するユーザを決定し、決定したユーザの画像ファイルを第１サーバ４１から第２サーバ４２に移行する。【選択図】図１
2011034213.tif 000002
【特許請求の範囲】
【請求項１】
ネットワーク経由で複数ユーザが投稿する画像を含むデータを逐次記憶し、ユーザに公開するための複数のサーバのうち第１サーバから第２サーバに、前記データを構成する画像ファイルを移行する画像ファイル移行装置であって、
前記データを記憶させる投稿装置が参照するサーバのパスと、前記画像ファイルを記憶させるごとに更新するデータ量と、をユーザごとに対応付けて記憶する画像管理記憶手段と、
前記画像管理記憶手段に記憶されたユーザごとの前記画像ファイルのデータ量を取得し、取得した当該データ量に基づいて所定の期間内の増加量を測定する増加量測定手段と、
所定の条件により前記第１サーバから前記第２サーバに前記画像ファイルを移行するか否かを判定する移行実行判定手段と、
前記移行実行判定手段が移行すると判定した場合に、前記増加量測定手段が測定したユーザごとの前記増加量に基づいて、前記画像ファイルを移行するユーザを決定する移行ユーザ決定手段と、
前記移行ユーザ決定手段が決定したユーザの前記画像ファイルを前記第１サーバから前記第２サーバに移行する移行実行手段と、
を備えることを特徴とする画像ファイル移行装置。
【請求項２】
前記移行実行手段は、
前記移行ユーザ決定手段が決定したユーザの前記画像ファイルを前記第１サーバから前記第２サーバに複写する画像ファイル複写手段と、
前記画像ファイル複写手段によって複写された前記画像ファイルの前記画像管理記憶手段における前記第１サーバのパスを、移行した前記第２サーバのパスに更新する画像管理更新手段と、
画像管理更新手段によってパスを更新したことに応じて前記画像ファイル複写手段によって複写された前記画像ファイルを前記第１サーバから削除する画像ファイル削除手段と、
を更に備えることを特徴とする請求項１に記載の画像ファイル移行装置。
【請求項３】
前記所定の条件は、前記第１サーバに記憶されている前記画像ファイルのデータ量が閾値を超えたこととする請求項１又は２に記載の画像ファイル移行装置。
【請求項４】
ネットワーク経由で複数ユーザが投稿する画像を含むデータを逐次記憶し、ユーザに公開するための複数のサーバのうち第１サーバから第２サーバに、前記データを構成する画像ファイルを移行する方法であって、
前記データを記憶させる投稿装置が参照するサーバのパスと、前記画像ファイルを記憶させるごとに更新するデータ量と、をユーザごとに対応付けて記憶する画像管理記憶手段に記憶されたユーザごとの前記画像ファイルのデータ量を取得し、取得した当該データ量に基づいて所定の期間内の増加量を測定するステップと、
所定の条件により前記第１サーバから前記第２サーバに前記画像ファイルを移行するか否かを判定するステップと、
前記移行すると判定した場合に、測定したユーザごとの前記増加量に基づいて、前記画像ファイルを移行するユーザを決定するステップと、
前記決定したユーザの前記画像ファイルを前記第１サーバから前記第２サーバに移行するステップと、
を備えることを特徴とする方法。
【請求項５】
ネットワーク経由で複数ユーザが投稿する画像を含むデータをユーザに公開するための複数のサーバに逐次記憶する投稿装置と、前記複数のサーバのうち第１サーバから第２サーバに、前記データを構成する画像ファイルを移行する画像ファイル移行装置と、を備える画像ファイル移行システムであって、
前記画像ファイル移行装置は、
前記データを記憶させるサーバのパスと、前記画像ファイルのデータ量と、をユーザごとに対応付けて記憶する画像管理記憶手段を有し、
前記投稿装置は、
前記画像管理記憶手段に記憶するサーバのパスを参照して前記データを記憶させ、記憶させるごとに前記画像ファイルのデータ量を更新する投稿データ格納手段、を備え、
前記画像ファイル移行装置は、
前記画像管理記憶手段に記憶されたユーザごとの前記画像ファイルのデータ量を取得し、取得した当該データ量に基づいて所定の期間内の増加量を測定する増加量測定手段と、
所定の条件により前記第１サーバから前記第２サーバに前記画像ファイルを移行するか否かを判定する移行実行判定手段と、
前記移行実行判定手段が移行すると判定した場合に、前記増加量測定手段が測定したユーザごとの前記増加量に基づいて、前記画像ファイルを移行するユーザを決定する移行ユーザ決定手段と、
前記移行ユーザ決定手段が決定したユーザの前記画像ファイルを前記第１サーバから前記第２サーバに移行する移行実行手段と、
を備えることを特徴とする画像ファイル移行システム。
【発明の詳細な説明】
【技術分野】
【０００１】
本発明は、画像ファイル移行装置、方法及びシステムに関する。
【背景技術】
【０００２】
近年、コンピュータネットワークの進展により、ユーザはコンピュータネットワークを介してサーバに容易にアクセスし、データを参照したり、記憶させたりすることができる。例えば、インターネット上でいわゆるブログ（ｂｌｏｇ：ｗｅｂｌｏｇの略称）と呼ばれる簡易ホームページでは、ユーザは、文章や、写真等の画像とからなる記事を投稿し、ブログサーバに記憶させている。
【０００３】
このようなサーバは、画像データを含む大量のデータを、高性能かつ大容量の記憶制御装置を用いて記憶し、データの最適な配置等を行って、多数のユーザからの要求に対応している。このようなサーバにおいて、データの増大に対応し、データを最適に配置する技術を開示する特許文献１が知られている。
【０００４】
特許文献１に記載された発明は、ストレージシステムにおけるデータ移行の際にデータを最適に配置すると共に、業務の負担を低減することを課題としている。そして、特許文献１に記載された発明において、第１ストレージシステムは、計算機及び第２ストレージシステムに接続され、計算機によって書き込まれたデータを格納する第１記憶領域を備え、第２ストレージシステムは、第１ストレージシステム及び第３ストレージシステムに接続され、第１記憶領域に格納されたデータが移行する第２記憶領域を備え、第３ストレージシステムは、計算機及び第２ストレージシステムに接続され、第２記憶領域に対応する仮想記憶領域を備え、仮想記憶領域に対するアクセス要求を第２記憶領域に対するアクセス要求に変換し、変換されたアクセス要求を第２ストレージシステムに発行し、管理計算機は、第２記憶領域に移行したデータの価値と所定の閾値との判定結果に基づいて、第２記憶領域に移行したデータを第３ストレージシステムに作成された第３記憶領域に移行する指示を第３ストレージシステムに送信する。
【先行技術文献】
【特許文献】
【０００５】
【特許文献１】特開２００７−０５８７２８号公報
【発明の概要】
【発明が解決しようとする課題】
【０００６】
しかしながら、特許文献１では、データの価値、例えば、頻繁にアクセスされるデータと、稀にしかアクセスされないデータとを区別して保存先を変えることによってデータ量の増加を抑制しているが、アクセスする頻度には顕著な差がない場合には、効率よく保存先の増加を抑制することができるとはいえない。また、特許文献１では、保存先を区別し、移行する際にユーザへの影響がないように第２ストレージシステムと第３ストレージシステムとで最適な配置を行っているが、更にデータ量が増大した場合には、それぞれのストレージシステムに対し第２ストレージシステムと第３ストレージシステムとを設ける必要があり、煩雑になりかねない。
【０００７】
また、記憶装置の使用データ量が多くなった場合に、例えば、データ量の多いユーザを移行させたとしても、移行させたユーザが過去の投稿量が多いだけで最近は投稿をしていない場合には、最近の投稿量が多いユーザによって、短期間で記憶装置が一杯になることが予想される。
【０００８】
そこで、ファイルをアクセスするユーザに影響を与えることなく、既存サーバにおけるデータ量の増加を効率よく抑制することができる装置が望まれている。
【０００９】
本発明は、ファイルをアクセスするユーザに影響を与えることなく、既存サーバにおけるデータ量の増加を効率よく抑制する装置、方法及びシステムを提供することを目的とする。
【課題を解決するための手段】
【００１０】
本発明では、以下のような解決手段を提供する。
【００１１】
（１）  ネットワーク経由で複数ユーザが投稿する画像を含むデータを逐次記憶し、ユーザに公開するための複数のサーバのうち第１サーバから第２サーバに、前記データを構成する画像ファイルを移行する画像ファイル移行装置であって、前記データを記憶させる投稿装置が参照するサーバのパスと、前記画像ファイルを記憶させるごとに更新するデータ量と、をユーザごとに対応付けて記憶する画像管理記憶手段と、前記画像管理記憶手段に記憶されたユーザごとの前記画像ファイルのデータ量を取得し、取得した当該データ量に基づいて所定の期間内の増加量を測定する増加量測定手段と、所定の条件により前記第１サーバから前記第２サーバに前記画像ファイルを移行するか否かを判定する移行実行判定手段と、前記移行実行判定手段が移行すると判定した場合に、前記増加量測定手段が測定したユーザごとの前記増加量に基づいて、前記画像ファイルを移行するユーザを決定する移行ユーザ決定手段と、前記移行ユーザ決定手段が決定したユーザの前記画像ファイルを前記第１サーバから前記第２サーバに移行する移行実行手段と、を備えることを特徴とする画像ファイル移行装置。
【００１２】
（１）の構成によれば、本発明に係る画像ファイル移行装置は、ネットワーク経由で複数ユーザが投稿する画像を含むデータを逐次記憶し、ユーザに公開するための複数のサーバのうち第１サーバから第２サーバに、データを構成する画像ファイルを移行する画像ファイル移行装置であって、データを記憶させる投稿装置が参照するサーバのパスと、画像ファイルを記憶させるごとに更新するデータ量と、をユーザごとに対応付けて記憶する画像管理記憶手段を有し、画像管理記憶手段に記憶されたユーザごとの画像ファイルのデータ量を取得し、取得した当該データ量に基づいて所定の期間内の増加量を測定し、所定の条件により第１サーバから第２サーバに画像ファイルを移行するか否かを判定し、移行すると判定した場合に、測定したユーザごとの増加量に基づいて、画像ファイルを移行するユーザを決定し、決定したユーザの画像ファイルを第１サーバから第２サーバに移行する。
【００１３】
すなわち、本発明に係る画像ファイル移行装置は、ユーザごとの所定の期間内の増加量に基づいて、画像ファイルを移行するユーザを決定する。よって、本発明に係る画像ファイル移行装置は、所定の期間、例えば、最近の１ヶ月内に増加量が多いユーザの画像ファイルを移行することができるので、サーバにおけるデータ量の増加の原因の中で、最近の増加が原因であるデータ量の増加を、効率よく減少させることが期待できる。また、本発明に係る画像ファイル移行装置は、データを記憶させる投稿装置と別の装置なので、ファイルをアクセスするユーザに影響を与えることなく既存サーバからファイルを移行することができる。したがって、本発明に係る画像ファイル移行装置は、ファイルをアクセスするユーザに影響を与えることなく、既存サーバにおけるデータ量の増加を効率よく抑制することができる。
【００１４】
（２）  前記移行実行手段は、前記移行ユーザ決定手段が決定した前記ユーザの前記画像ファイルを前記第１サーバから前記第２サーバに複写する画像ファイル複写手段と、前記画像ファイル複写手段によって複写された前記画像ファイルの前記画像管理記憶手段における前記第１サーバのパスを、移行した前記第２サーバのパスに更新する画像管理更新手段と、画像管理更新手段によってパスを更新したことに応じて前記画像ファイル複写手段によって複写された前記画像ファイルを前記第１サーバから削除する画像ファイル削除手段と、を更に備えることを特徴とする（１）に記載の画像ファイル移行装置。
【００１５】
（２）の構成によれば、（１）に記載の画像ファイル移行装置は、決定したユーザの画像ファイルを第１サーバから第２サーバに複写し、複写された画像ファイルの画像管理記憶手段における第１サーバのパスを、移行した第２サーバのパスに更新し、パスを更新したことに応じて複写された画像ファイルを第１サーバから削除する。したがって、本発明に係る画像ファイル移行装置は、ファイルをアクセスするユーザに影響を与えることなく、既存サーバにおけるデータ量の増加を効率よく抑制することができる。
【００１６】
（３）  前記所定の条件は、前記第１サーバに記憶されている前記画像ファイルのデータ量が閾値を超えたことを条件とする（１）又は（２）に記載の画像ファイル移行装置。
【００１７】
（３）の構成によれば、（１）又は（２）に記載の画像ファイル移行装置は、第１サーバに記憶されている画像ファイルのデータ量が閾値を超えたことにより、第１サーバから第２サーバに画像ファイルを移行すると判定する。したがって、本発明に係る画像ファイル移行装置は、既存サーバにおけるデータ量の増加を効率よく抑制することができる。
【００１８】
（４）  ネットワーク経由で複数ユーザが投稿する画像を含むデータを逐次記憶し、ユーザに公開するための複数のサーバのうち第１サーバから第２サーバに、前記データを構成する画像ファイルを移行する方法であって、前記データを記憶させる投稿装置が参照するサーバのパスと、前記画像ファイルを記憶させるごとに更新するデータ量と、をユーザごとに対応付けて記憶する画像管理記憶手段に記憶されたユーザごとの前記画像ファイルのデータ量を取得し、取得した当該データ量に基づいて所定の期間内の増加量を測定するステップと、所定の条件により前記第１サーバから前記第２サーバに前記画像ファイルを移行するか否かを判定するステップと、前記移行すると判定した場合に、測定したユーザごとの前記増加量に基づいて、前記画像ファイルを移行するユーザを決定するステップと、前記決定したユーザの前記画像ファイルを前記第１サーバから前記第２サーバに移行するステップと、を備えることを特徴とする方法。
【００１９】
（４）の構成によれば、本発明に係る方法は、ネットワーク経由で複数ユーザが投稿する画像を含むデータを逐次記憶し、ユーザに公開するための複数のサーバのうち第１サーバから第２サーバに、データを構成する画像ファイルを移行する方法であって、データを記憶させる投稿装置が参照するサーバのパスと、画像ファイルを記憶させるごとに更新するデータ量と、をユーザごとに対応付けて記憶する画像管理記憶手段に記憶されたユーザごとの画像ファイルのデータ量を取得し、取得した当該データ量に基づいて所定の期間内の増加量を測定し、所定の条件により第１サーバから第２サーバに画像ファイルを移行するか否かを判定し、移行すると判定した場合に、測定したユーザごとの増加量に基づいて、画像ファイルを移行するユーザを決定し、決定したユーザの画像ファイルを第１サーバから第２サーバに移行する。したがって、本発明に係る方法は、ファイルをアクセスするユーザに影響を与えることなく、既存サーバにおけるデータ量の増加を効率よく抑制することができる。
【００２０】
（５）  ネットワーク経由で複数ユーザが投稿する画像を含むデータをユーザに公開するための複数のサーバに逐次記憶する投稿装置と、前記複数のサーバのうち第１サーバから第２サーバに、前記データを構成する画像ファイルを移行する画像ファイル移行装置と、を備える画像ファイル移行システムであって、前記画像ファイル移行装置は、前記データを記憶させるサーバのパスと、前記画像ファイルのデータ量と、をユーザごとに対応付けて記憶する画像管理記憶手段を有し、前記投稿装置は、前記画像管理記憶手段に記憶するサーバのパスを参照して前記データを記憶させ、記憶させるごとに前記画像ファイルのデータ量を更新する投稿データ格納手段、を備え、前記画像ファイル移行装置は、前記画像管理記憶手段に記憶されたユーザごとの前記画像ファイルのデータ量を取得し、取得した当該データ量に基づいて所定の期間内の増加量を測定する増加量測定手段と、所定の条件により前記第１サーバから前記第２サーバに前記画像ファイルを移行するか否かを判定する移行実行判定手段と、前記移行実行判定手段が移行すると判定した場合に、前記増加量測定手段が測定したユーザごとの前記増加量に基づいて、前記画像ファイルを移行するユーザを決定する移行ユーザ決定手段と、前記移行ユーザ決定手段が決定したユーザの前記画像ファイルを前記第１サーバから前記第２サーバに移行する移行実行手段と、を備えることを特徴とする画像ファイル移行システム。
【００２１】
（５）の構成によれば、本発明に係る画像ファイル移行システムは、ネットワーク経由で複数ユーザが投稿する画像を含むデータをユーザに公開するための複数のサーバに逐次記憶する投稿装置と、複数のサーバのうち第１サーバから第２サーバに、データを構成する画像ファイルを移行する画像ファイル移行装置と、を備える画像ファイル移行システムであって、画像ファイル移行装置は、データを記憶させるサーバのパスと、画像ファイルのデータ量と、をユーザごとに対応付けて記憶する画像管理記憶手段を有し、投稿装置は、画像管理記憶手段に記憶するサーバのパスを参照してデータを記憶させ、記憶させるごとに画像ファイルのデータ量を更新する。画像ファイル移行装置は、画像管理記憶手段に記憶されたユーザごとの画像ファイルのデータ量を取得し、取得した当該データ量に基づいて所定の期間内の増加量を測定し、所定の条件により第１サーバから第２サーバに画像ファイルを移行するか否かを判定し、移行すると判定した場合に、測定したユーザごとの増加量に基づいて、画像ファイルを移行するユーザを決定し、決定したユーザの画像ファイルを第１サーバから第２サーバに移行する。したがって、本発明に係る画像ファイル移行システムは、ファイルをアクセスするユーザに影響を与えることなく、既存サーバにおけるデータ量の増加を効率よく抑制することができる。
【発明の効果】
【００２２】
本発明によれば、ファイルをアクセスするユーザに影響を与えることなく、既存サーバにおけるデータ量の増加を効率よく抑制することができる。
【図面の簡単な説明】
【００２３】
【図１】本発明の一実施形態に係る画像ファイル移行装置１０の機能構成と、投稿装置２０の機能構成とを示す機能ブロック図である。
【図２】本発明の一実施形態に係る画像ファイル移行装置１０の画像管理ＤＢ３０を示す図である。
【図３】本発明の一実施形態に係る画像ファイル移行装置１０のメイン処理を示すフローチャートである。
【図４】本発明の一実施形態に係る画像ファイル移行装置１０の移行処理を示すフローチャートである。
【発明を実施するための形態】
【００２４】
以下、本発明の実施形態について図を参照しながら説明する。
【００２５】
本実施形態は、コンピュータ及びその周辺装置に適用される。本実施形態における各部は、コンピュータ及びその周辺装置が備えるハードウェア並びに該ハードウェアを制御するソフトウェアによって構成される。
【００２６】
上記ハードウェアには、制御部としてのＣＰＵ（Ｃｅｎｔｒａｌ  Ｐｒｏｃｅｓｓｉｎｇ  Ｕｎｉｔ）の他、記憶部、通信装置、表示装置及び入力装置が含まれる。記憶部としては、例えば、メモリ（ＲＡＭ：Ｒａｎｄｏｍ  Ａｃｃｅｓｓ  Ｍｅｍｏｒｙ、ＲＯＭ：Ｒｅａｄ  Ｏｎｌｙ  Ｍｅｍｏｒｙ等）、ハードディスクドライブ（ＨＤＤ：Ｈａｒｄ  Ｄｉｓｋ  Ｄｒｉｖｅ）、及び光ディスク（ＣＤ：Ｃｏｍｐａｃｔ  Ｄｉｓｋ、ＤＶＤ：Ｄｉｇｉｔａｌ  Ｖｅｒｓａｔｉｌｅ  Ｄｉｓｋ等）ドライブが挙げられる。通信装置としては、例えば、各種有線及び無線インターフェース装置が挙げられる。表示装置としては、例えば、液晶ディスプレイ、プラズマディスプレイ等の各種ディスプレイが挙げられる。入力装置としては、例えば、キーボード及びポインティング・デバイス（マウス、トラッキングボール等）が挙げられる。
【００２７】
上記ソフトウェアには、上記ハードウェアを制御するコンピュータ・プログラムやデータが含まれる。コンピュータ・プログラムやデータは、記憶部により記憶され、制御部により適宜実行、参照される。また、コンピュータ・プログラムやデータは、通信回線を介して配布されることも可能であり、ＣＤ−ＲＯＭ等のコンピュータ可読媒体に記録して配布されることも可能である。
【００２８】
図１は、本発明の一実施形態に係る画像ファイル移行装置１０の機能構成と、投稿装置２０の機能構成とを示す機能ブロック図である。
【００２９】
画像ファイル移行装置１０は、ユーザが投稿するデータを記憶する複数のサーバのうち第１サーバ４１から第２サーバ４２に、データを構成する画像ファイルを移行する画像ファイル移行装置１０であって、画像管理記憶手段として画像管理ＤＢ３０と、増加量測定手段として増加量測定部１１と、移行実行判定手段として移行実行判定部１２と、移行ユーザ決定手段として移行ユーザ決定部１３と、移行実行手段として移行実行部１４と、を備え、移行実行部１４は、画像ファイル複写手段として画像ファイル複写部１５と、画像管理更新手段として画像管理更新部１６と、画像ファイル削除手段として画像ファイル削除部１７とを備えている。
【００３０】
画像管理ＤＢ３０は、データを記憶させる投稿装置２０が参照するサーバのパスと、画像ファイルを記憶させるごとに更新するデータ量と、をユーザごとに対応付けて記憶する（後述する図２参照）。投稿装置２０は、画像管理ＤＢ３０が記憶するサーバのパスを参照して、パスが示すサーバのユーザ用フォルダにユーザの端末から受信したデータを記憶させる。そして、投稿装置２０は、データを記憶させるごとに、データを構成する画像ファイルのデータ量に基づいて、画像管理ＤＢ３０が記憶する画像ファイルのデータ量を更新する。なお、画像管理ＤＢ３０は、投稿装置２０が備えるとしてもよい。この場合、画像ファイル移行装置１０は、画像管理アクセス部を備え、画像管理アクセス部によって画像管理ＤＢ３０にアクセスし、画像ファイルのデータ量やサーバのパス等を取得したり、サーバのパスを更新したりする。
【００３１】
画像管理ＤＢ３０は、画像ファイルのデータ量として、今回の画像ファイルのデータ量と、前回の画像ファイルのデータ量とを記憶するとしてもよい。今回の画像ファイルのデータ量は、投稿装置２０によってデータが記憶されるごとに更新され、画像ファイル移行装置１０が画像ファイルの増加量を測定した後に確定され、前回の画像ファイルのデータ量を記憶する領域に複写される。画像ファイル移行装置１０は、今回の画像ファイルのデータ量から前回の画像ファイルのデータ量を減算することによって、増加量を算出することができる。
【００３２】
増加量測定部１１は、画像管理ＤＢ３０に記憶されたユーザごとの画像ファイルのデータ量を取得し、取得した当該データ量に基づいて所定の期間内の増加量を測定する。所定の期間は、画像ファイル移行装置１０の管理者によって設定された期間であって、例えば、１日ごとや、１週間ごと、１ヶ月ごと等である。すなわち、増加量測定部１１は、例えば、１週間ごとに画像管理ＤＢ３０をアクセスし、例えば、画像管理ＤＢ３０に記憶された今回の画像ファイルのデータ量と、前回の１週間前の画像ファイルのデータ量との差を算出し、１週間の増加量を測定する。
【００３３】
移行実行判定部１２は、所定の条件により第１サーバ４１から第２サーバ４２に画像ファイルを移行するか否かを判定する。所定の条件は、例えば、第１サーバ４１に記憶されている画像ファイルのデータ量が閾値（例えば、初期の可能な記憶容量が１００テラバイトの場合に、所定の割合（例えば６０％）である６０テラバイト）を超えたこととする。すなわち、移行実行判定部１２は、定期的（１日おき、１週間おき等）に、画像管理ＤＢ３０に基づいてサーバのパスを参照し、画像ファイルのデータ量が閾値を超えるサーバを検出し、第１サーバ４１とする。移行実行判定部１２は、画像管理ＤＢ３０に基づいてサーバのパスを参照し、サーバのデータ量を取得し、取得したサーバの中でデータ量が最も少ないサーバであって、一定の条件（例えば、使用中のデータ量が初期の可能な記憶容量の４０％以下）に合致するサーバを検出し、第２サーバ４２とする。なお、第２サーバ４２は、例えば新規なサーバが、画像ファイル移行装置１０を管理する管理者によって指定されるとしてもよい。
【００３４】
移行ユーザ決定部１３は、移行実行判定部１２が移行すると判定した場合に、増加量測定部１１が測定したユーザごとの増加量に基づいて、画像ファイルを移行するユーザを決定する。
【００３５】
例えば、移行ユーザ決定部１３は、画像管理ＤＢ３０の増加量を参照して、画像ファイルの増加量が多いユーザを抽出し、最も多いユーザから所定の人数分の画像ファイルを移行させると決定する。画像ファイルの増加量は、例えば１週間ごとの増加量であるので、最近の１週間で記憶させた画像ファイルのデータ量が多いユーザが移行の対象となる。最近の画像ファイルのデータ量の増加量を対象とするので、単に画像ファイルのデータ量が多いユーザを移行する場合よりも効率的に増加量を抑制することができる。また、データを構成する文字データや画像データ等の中で、通常、画像データはデータ量が大きいので、画像ファイルを移行することにより効率的に増加量を抑制することができる。
【００３６】
移行実行部１４は、移行ユーザ決定部１３が決定したユーザの画像ファイルを第１サーバ４１から第２サーバ４２に移行する。データの移行は、データを複写し、複写後に複写元のデータを削除することにより行われる。
【００３７】
画像ファイル複写部１５は、移行ユーザ決定部１３が決定したユーザの画像ファイルを第１サーバ４１から第２サーバ４２に複写する。例えば、画像ファイル複写部は、複写中に、複写対象の画像ファイルに追加の書込みがあった場合には、複写後に追加の画像ファイルを複写する。
【００３８】
画像管理更新部１６は、画像ファイル複写部１５によって複写された画像ファイルの画像管理ＤＢ３０におけるサーバのパスを、移行した第２サーバ４２のパスに更新する。例えば、画像管理更新部１６は、複写中に追加の書込みがあった画像ファイルについても複写が完了した場合に、パスの更新を行う。
【００３９】
画像ファイル削除部１７は、画像管理更新部１６によってパスを更新したことに応じて画像ファイル複写部１５によって複写された画像ファイルを第１サーバ４１から削除する。よって、ファイルをアクセスするユーザに影響を与えることなく、画像ファイルを移行することができる。
【００４０】
投稿装置２０は、投稿データ格納手段として投稿データ格納部２１を備えている。
【００４１】
投稿データ格納部２１は、画像管理ＤＢ３０に記憶するサーバのパスを参照してデータを記憶させ、記憶させるごとに画像ファイルのデータ量を更新する。
【００４２】
図２は、本発明の一実施形態に係る画像ファイル移行装置１０の画像管理ＤＢ３０を示す図である。
【００４３】
画像管理ＤＢ３０は、ユーザの識別情報であるユーザＩＤに対応付けて、受信したデータを記憶するサーバのパスと、記憶するサーバの今回の画像データ量と、記憶するサーバの前回の画像データ量と、画像データの増加量と、を記憶している。今回の画像データ量は、画像ファイルを記憶させるごとに更新されるデータ量である。画像ファイル移行装置１０は、今回の画像データ量から、前回の画像データ量を減算することにより、画像データの増加量を算出することができる。画像ファイル移行装置１０は、画像データの増加量を算出した後に、今回の画像データ量を前回の画像データ量に複写する。
【００４４】
画像管理ＤＢ３０に基づいて、例えば、投稿装置２０は、ユーザに対応付けられたサーバのパスを参照して、ユーザから受信したデータを記憶する。画像ファイル移行装置１０は、移行するユーザを決定すると、ユーザに対応付けられたサーバのパスを参照してデータを取得し、取得したデータを第２サーバ４２に移行する。
【００４５】
図３は、本発明の一実施形態に係る画像ファイル移行装置１０のメイン処理を示すフローチャートである。なお、本処理は、定期的（例えば、日ごと、週ごと等）にプログラム開始指令を受けて処理を開始し、処理の終了によりプログラムを終了する。
【００４６】
ステップＳ１０１において、ＣＰＵは、画像管理ＤＢ３０に基づいてサーバのパスを取得する。より具体的には、ＣＰＵは、サーバのパスを取得するための変数ｉを初期化（例えば、０を格納）し、画像管理ＤＢ３０を参照して、ｉ番目のユーザに対応付けられたサーバのパスを取得する。その後、ＣＰＵは、処理をステップＳ１０２に移す。
【００４７】
ステップＳ１０２において、ＣＰＵは、ユーザごとの画像データの増加量を測定する。より具体的には、ＣＰＵは、今回の画像データ量から前回の画像データ量を減算し、ユーザごとの増加量を算出する。ＣＰＵは、取得したサーバのパスと同じパスのサーバのユーザについて、増加量を算出する。その後、ＣＰＵは、処理をステップＳ１０３に移す。
【００４８】
ステップＳ１０３において、ＣＰＵは、取得したサーバを第１サーバとし、データ量を取得する。より具体的には、ＣＰＵは、取得した第１サーバ４１のファイル等を管理するファイルシステムを介して第１サーバ４１のデータ量を取得する。その後、ＣＰＵは、処理をステップＳ１０４に移す。
【００４９】
ステップＳ１０４において、ＣＰＵは、第１サーバ４１のユーザを移行するか否かを判断する。より具体的には、ＣＰＵは、取得した第１サーバ４１全体のデータ量が、閾値（例えば、第１サーバ４１の初期容量の６０％）を超えたか否かを判断する。この判断がＹＥＳの場合は処理をステップＳ１０５に移し、ＮＯの場合は処理をステップＳ１０６に移す。
【００５０】
ステップＳ１０５において、ＣＰＵは、移行処理（後述する図４参照）を実行する。その後、ＣＰＵは、処理をステップＳ１０６に移す。
【００５１】
ステップＳ１０６において、ＣＰＵは、画像管理ＤＢ３０に基づいて、次のサーバのパスを取得する。より具体的には、ＣＰＵは、変数ｉに１を加算し、ｉ番目のユーザに対応付けられたサーバのパスを取得する。そして、ＣＰＵは、取得したサーバのパスがステップＳ１０３におけるサーバのパスとは異なるサーバのパスであるか否かを判断し、同一のパスである場合には更にｉに１を加算し、ｉ番目のユーザに対応付けられたサーバのパスを取得する。このようにして、ＣＰＵは、ステップＳ１０３におけるサーバのパスとは異なるサーバのパスを取得するか、ｉ番目のユーザが存在しないか、のいずれかが成立するまで実行する。その後、ＣＰＵは、処理をステップＳ１０７に移す。
【００５２】
ステップＳ１０７において、ＣＰＵは、全てのサーバについて処理済みか否かを判断する。すなわち、ＣＰＵは、ｉ番目のユーザが存在しない場合には、全てのサーバについて処理済みであると判断する。この判断がＹＥＳの場合は処理を終了し、ＮＯの場合は処理をステップＳ１０２に移す。
【００５３】
図４は、本発明の一実施形態に係る画像ファイル移行装置１０の移行処理を示すフローチャートである。
【００５４】
ステップＳ２０１において、ＣＰＵは、移行先のサーバとして第２サーバ４２を決定する。より具体的には、ＣＰＵは、画像管理ＤＢ３０に基づいて、サーバのパスを参照してサーバのデータ量を取得し、取得したサーバの中でデータ量が最も少ないサーバであって、一定の条件（例えば、使用中のデータ量が初期容量の４０％以下）に合致するサーバを第２サーバ４２として決定する。その後、ＣＰＵは、処理をステップＳ２０２に移す。
【００５５】
ステップＳ２０２において、ＣＰＵは、移行するユーザを決定する。より具体的には、ＣＰＵは、増加量が多い順に移行するユーザを決定し、決定したユーザを移行した場合の第１サーバ４１のデータ量が、所定の値（例えば、初期容量の４０パーセント）以下になるまで移行するユーザを決定する。その後、ＣＰＵは、処理をステップＳ２０３に移す。
【００５６】
ステップＳ２０３において、ＣＰＵは、第１サーバ４１のユーザ用フォルダから第２サーバ４２のユーザ用フォルダに複写する。より具体的には、ＣＰＵは、画像管理ＤＢ３０に基づいて、移行することを決定したユーザに対応付けられた第１サーバ４１のユーザ用フォルダ（例えば、サーバのパスとユーザＩＤとから作成されるパスが示すユーザ用フォルダ）から、ステップＳ２０１で決定した第２サーバ４２のユーザ用フォルダ（例えば、第２サーバ４２のパスとユーザＩＤとから作成されるパスが示すユーザ用フォルダ）に画像データを複写する。複写は、複写開始時点における画像ファイルを確定し、確定した画像ファイルを複写する。その後、ＣＰＵは、処理をステップＳ２０４に移す。
【００５７】
ステップＳ２０４において、ＣＰＵは、第１サーバのユーザ用フォルダ内に、書込み中の画像ファイルが有るか否かを判断する。より具体的には、ＣＰＵは、第１サーバのユーザ用フォルダ内の画像ファイルのステータスをファイルシステムを介して取得し、取得したステータスのなかで書込み中の画像ファイルが有るか否かを判断する。この判断がＹＥＳの場合は書込みの終了を待つためにステップＳ２０４に移し、ＮＯの場合は処理をステップＳ２０５に移す。
【００５８】
ステップＳ２０５において、ＣＰＵは、第１サーバのユーザ用フォルダ内に、複写中に書込まれた画像ファイルが有るか否かを判断する。より具体的には、ＣＰＵは、複写したユーザの画像データ量が増加しているか否かを判断する。例えば、ＣＰＵは、今回の画像データ量と、前回の画像データ量と、を比較し、今回の画像データ量が多い場合に複写中の書込みが有ったと判断する。この判断がＹＥＳの場合は処理をステップＳ２０６に移し、ＮＯの場合は処理をステップＳ２０７に移す。
【００５９】
ステップＳ２０６において、ＣＰＵは、複写中に書き込まれた画像ファイルを第２サーバ４２に複写する。より具体的には、ＣＰＵは、ファイルシステムを介して複写開始時刻よりも後に書き込まれた画像ファイルを取得し、取得した画像ファイルを第２サーバ４２に複写する。その後、ＣＰＵは、処理をステップＳ２０７に移す。
【００６０】
ステップＳ２０７において、ＣＰＵは、画像管理ＤＢ３０におけるサーバのパスを更新する。より具体的には、ＣＰＵは、複写したユーザに対応付けられたサーバのパスを退避し、第２サーバ４２のパスに更新する。その後、ＣＰＵは、処理をステップＳ２０８に移す。
【００６１】
ステップＳ２０８において、ＣＰＵは、複写された画像ファイルを第１サーバ４１から削除する。より具体的には、ＣＰＵは、ステップＳ２０７において退避したサーバのパスを用いて、複写したユーザの画像ファイルを削除する。その後、ＣＰＵは、処理をステップＳ２０９に移す。
【００６２】
ステップＳ２０９において、ＣＰＵは、ステップＳ２０２において決定したユーザについて全て終了か否かを判断する。この判断がＹＥＳの場合は処理を終了し、本処理に移るステップの次のステップに戻り、ＮＯの場合は処理をステップＳ２０３に移す。
【００６３】
実施例によれば、画像ファイル移行装置１０は、データを記憶させる投稿装置２０が参照するサーバのパスと、画像ファイルを記憶させるごとに更新するデータ量と、をユーザごとに対応付けて記憶する画像管理ＤＢ３０を有し、画像管理ＤＢ３０に記憶されたユーザごとの画像ファイルのデータ量を取得し、取得した当該データ量に基づいて所定の期間内（例えば、１週間）の増加量を測定し、サーバに記憶されている画像ファイルのデータ量が閾値（例えば、初期容量の６０％）を超えたか否かにより画像ファイルを移行するか否かを判定する。そして、画像ファイル移行装置１０は、移行すると判定した場合に当該サーバを第１サーバとし、測定したユーザごとの増加量に基づいて、画像ファイルを移行するユーザを決定し、決定したユーザの画像ファイルを記憶する第１サーバ４１から第２サーバ４２に移行する。
【００６４】
更に、画像ファイル移行装置１０は、決定したユーザの画像ファイルを記憶する第１サーバ４１から第２サーバ４２に複写し、複写中の画像データの追記を検出した場合は更に追記した画像データを複写し、複写された画像ファイルの画像管理ＤＢ３０におけるサーバのパスを、移行した第２サーバ４２のパスに更新し、パスを更新したことに応じて複写された画像ファイルを第１サーバ４１から削除する。したがって、画像ファイル移行装置１０は、ファイルをアクセスするユーザに影響を与えることなく、既存サーバにおけるデータ量の増加を効率よく抑制することができる。
【００６５】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【符号の説明】
【００６６】
１０    画像ファイル移行装置
１１    増加量測定部
１２    移行実行判定部
１３    移行ユーザ決定部
１４    移行実行部
１５    画像ファイル複写部
１６    画像管理更新部
１７    画像ファイル削除部
２０    投稿装置
２１    投稿データ格納部
３０    画像管理ＤＢ
４１    第１サーバ
４２    第２サーバ
【図１】
2011034213.tif 000003
【図２】
2011034213.tif 000004
【図３】
2011034213.tif 000005
【図４】
2011034213.tif 000006